(57)【要約】【課題】強固に連結されると共に容易に組み立てることができ、円形又は正方形の天板の支持に適したテーブル用脚装置及びテーブルを得る。【解決手段】テーブル用脚装置２を、下部の内面及び下面に螺孔が形成された略垂直棒状の中間支脚５、並びに、中間支脚５の上部から上外方へ延び、上端に天板１を受ける受座２４が取り付けられる棒状の上支脚６、及び、中間支脚５の下部から下外方へ延び、下端が直接又はアジャスター１２若しくはキャスター等を介して接地する棒状の下支脚７を一体形成してなる３本以上の支脚４，…と、中間支脚５下部の内面及び下面の螺孔を用いて連結される支脚連結部が支脚４，…の数と同数設けられた連結体３７とにより構成する。【選択図】図１６
2010022864.tif 000002
【特許請求の範囲】
【請求項１】
下部の内面及び下面に螺孔が形成された略垂直棒状の中間支脚、並びに、該中間支脚の上部から上外方へ延び、上端に天板を受ける受座が取り付けられる棒状の上支脚、及び、該中間支脚の下部から下外方へ延び、下端が直接又はアジャスター若しくはキャスター等を介して接地する棒状の下支脚を一体形成してなる３本以上の支脚と、前記中間支脚下部の内面及び下面の螺孔を用いて連結される支脚連結部が前記支脚の数と同数設けられた連結体とを備えてなるテーブル用脚装置。
【請求項２】
前記連結体が、前記支脚連結部及びビーム連結部が設けられた、前記支脚の数と同数の支脚連結体と、前記支脚の数と同数のビーム連結部が設けられた連結ベースと、前記支脚連結体のビーム連結部及び前記連結ベースのビーム連結部を連結する、前記支脚の数と同数の中間ビームとからなる請求項１記載のテーブル用脚装置。
【請求項３】
請求項１又は２に記載の脚装置を備えたテーブル。
【発明の詳細な説明】
【技術分野】
【０００１】
本発明は、テーブル用脚装置及びテーブルの改良に関するものである。
【背景技術】
【０００２】
天板及び該天板を支持する脚装置からなるテーブルにおいて、その剛性及び強度が高く、強固に連結されると共に該テーブルの組立作業を容易に行うことができる構成が求められている。このような従来のテーブルとして、天板の下面に固定する円形又は三角形若しくは四角形等の多角形の基板に支柱を垂下固設して取付部材を形成し、該支柱の軸を中心とした基板の周囲少なくとも三ヶ所以上に該支柱から間隔を隔てて突起を下設するとともに、該突起と対応した前記支柱の下部周囲に螺孔を形成し、上支脚と下支脚を側面視略く字形に屈曲一体形成してなる支脚の該屈曲部に前記支柱の下部に当接する当接面を形成するとともに、外方から該当接面に貫通した通孔を形成し、また上支脚の上端に前記基板の下面に当接した状態で前記突起に嵌合する凹部を形成し、前記通孔から挿通したネジを前記支柱の螺孔に螺合するとともに、上支脚の凹部を基板の突起に嵌合して固定してなるもの（特許文献１参照。）等がある。
【先行技術文献】
【特許文献】
【０００３】
【特許文献１】実開平３−１１８３９号公報（第１−６図）
【発明の概要】
【発明が解決しようとする課題】
【０００４】
特許文献１のテーブルの構成は、支脚を天板の下面に固定するにあたり、その作業が簡単でしかも固定状態においてガタついたり、ズレたりすることがなく強固に連結することができるという特長を有するものであるが、天板の形状、大きさ及び個数等の多くのバリエーションへの対応しやすさ等の観点からは改良の余地があるものである。
【０００５】
本発明は、前記のような課題を解決するためになされたものであり、強固に連結されると共に容易に組み立てることができ、天板の形状、大きさ及び個数等の多くのバリエーションにも容易に対応することができるテーブル用脚装置及びテーブルを得ることを目的とする。
【課題を解決するための手段】
【０００６】
本発明に係るテーブル用脚装置は、被連結部が形成された略垂直棒状の中間支脚、並びに、該中間支脚の上部から上外方へ延び、上端に天板を受ける受座が取り付けられる棒状の上支脚、及び、該中間支脚の下部から下外方へ延び、下端が直接又はアジャスター若しくはキャスター等を介して接地する棒状の下支脚を一体形成してなる少なくとも３本の支脚と、該支脚の被連結部間を連結する連結体とを備えてなるものである。
【０００７】
ここで、前記中間支脚下部の内面及び下面に螺孔を形成して前記被連結部としてなる２個の支脚をその内面同士を略対向配置し、該支脚間を連結する支脚間連結体を前記螺孔を用いて取り付けて支脚対とし、該支脚対を複数配設すると共に、前記支脚間連結体にビーム連結部を設けて該ビーム連結部間を支脚対間連結ビームにより連結してなると好ましい。
【０００８】
また、前記中間支脚の上面及び下面に螺孔又は通孔を形成して前記被連結部としてなる２個の支脚をその内面同士を略対向配置し、該支脚間を連結する上下の支脚間連結体を前記螺孔又は通孔を用いて取り付けて支脚対とし、該支脚対を複数配設すると共に、該支脚対の中間支脚にビーム連結体を取り付けて該ビーム連結体間を支脚対間連結ビームにより連結してなると好ましい。
【０００９】
さらに、前記中間支脚下部の内面及び下面に螺孔を形成又は前記中間支脚の上面及び下面に螺孔若しくは通孔を形成して前記被連結部としてなる４個の支脚を平面視略十字状に配設し、該支脚間を連結する平面視略十字状の連結体を、前記中間支脚下部の内面及び下面の螺孔又は前記中間支脚の上面及び下面の螺孔若しくは通孔を用いて取り付けてなると好ましい。
【００１０】
さらにまた、前記受座にビーム連結部を設け、該ビーム連結部間を受座間連結ビームで連結してなると好ましい。
【００１１】
本発明に係るテーブルは、前記脚装置のいずれかを備えたものである。
【発明の効果】
【００１２】
本発明に係るテーブル用脚装置によれば、被連結部が形成された略垂直棒状の中間支脚、並びに、該中間支脚の上部から上外方へ延び、上端に天板を受ける受座が取り付けられる棒状の上支脚、及び、該中間支脚の下部から下外方へ延び、下端が直接又はアジャスター若しくはキャスター等を介して接地する棒状の下支脚を一体形成してなる少なくとも３本の支脚と、該支脚の被連結部間を連結する連結体とを備えてなるので、部品点数が少ない簡素な構成により部品の共通化を図りながら、強固に連結されると共に容易に組み立てることができ、天板の形状、大きさ及び個数等の多くのバリエーションにも容易に対応することができる。
【００１３】
また、前記中間支脚下部の内面及び下面に螺孔を形成して前記被連結部としてなる２個の支脚をその内面同士を略対向配置し、該支脚間を連結する支脚間連結体を前記螺孔を用いて取り付けて支脚対とし、該支脚対を複数配設すると共に、前記支脚間連結体にビーム連結部を設けて該ビーム連結部間を支脚対間連結ビームにより連結してなると、前記支脚間連結体にビーム連結部を設けているため、部品点数が少ないより簡素な構成となる。
【００１４】
さらに、前記中間支脚の上面及び下面に螺孔又は通孔を形成して前記被連結部としてなる２個の支脚をその内面同士を略対向配置し、該支脚間を連結する上下の支脚間連結体を前記螺孔又は通孔を用いて取り付けて支脚対とし、該支脚対を複数配設すると共に、該支脚対の中間支脚にビーム連結体を取り付けて該ビーム連結体間を支脚対間連結ビームにより連結してなると、上下の支脚間連結体を簡単な形状とすることができるため、コストを低減することができる。
【００１５】
さらにまた、前記中間支脚下部の内面及び下面に螺孔を形成又は前記中間支脚の上面及び下面に螺孔若しくは通孔を形成して前記被連結部としてなる４個の支脚を平面視略十字状に配設し、該支脚間を連結する平面視略十字状の連結体を、前記中間支脚下部の内面及び下面の螺孔又は前記中間支脚の上面及び下面の螺孔若しくは通孔を用いて取り付けてなると、特に円形及び正方形の天板の支持に適した脚装置を得ることができる。
【００１６】
また、前記受座にビーム連結部を設け、該ビーム連結部間を受座間連結ビームで連結してなると、さらに連結が強固になる。
【００１７】
本発明に係るテーブルによれば、前記脚装置のいずれかを備えたので、前記テーブル脚装置と同様の効果を奏する。
【図面の簡単な説明】
【００１８】
【図１】本発明の実施の形態１に係るテーブルの構成例を示す斜視図である。
【図２】同じく正面図である。
【図３】同じく支脚の長手方向の断面を示した縦断側面図である。
【図４】同じく要部分解斜視図である。
【図５】同じく要部縦断正面図である。
【図６】本発明の実施の形態１に係るテーブルの別の構成例を示す斜視図である。
【図７】同じく要部分解斜視図である。
【図８】本発明の実施の形態２に係るテーブルの構成例を示す斜視図である。
【図９】同じく支脚の長手方向の断面を示した縦断側面図である。
【図１０】同じく分解斜視図である。
【図１１】同じく支脚対間連結ビームの取付説明図である。
【図１２】同じくビーム連結体を支脚対に取り付けた状態を示す断面図である。
【図１３】本発明の実施の形態３に係るテーブルの構成例を示す斜視図である。
【図１４】同じく要部分解斜視図である。
【図１５】受座に対する上支脚の位相合わせ構造の説明図であり、（ａ）は上支脚を上から見た図、（ｂ）は受座を下から見た図、（ｃ）は係合リブと係合溝との係合を示す断面図である。
【図１６】本発明の実施の形態４に係るテーブルの構成例を示す斜視図である。
【図１７】同じく分解斜視図である。
【図１８】同じく連結体の分解斜視図である。
【発明を実施するための形態】
【００１９】
次に、本発明の実施の形態を添付図面に基づき詳細に説明するが、本発明は、添付図面に示された形態に限定されず特許請求の範囲に記載の要件を満たす実施形態の全てを含むものである。
【００２０】
実施の形態１．
図１〜図３は、本発明の実施の形態１に係るテーブルの構成例を示す説明図であり、図１は上方から見た斜視図、図２は正面図、図３は支脚の長手方向の断面を示した縦断側面図、図４は要部分解斜視図、図５は要部縦断正面図である。なお、図１及び図４において、天板は２点鎖線で示している。また、以下において、図２の正面図で天板に向かって手前側を前、奥側を後、左右を左右とし、この方向の定義は他の実施の形態においても同様に使用する。
【００２１】
テーブル１は天板１ａと脚装置２からなり、脚装置２は支脚対３，３及び該支脚対３，３間を連結する支脚対間連結ビーム１０等からなる。また、支脚対３は支脚４，４を支脚間連結体９により連結したものである。そして、支脚４は、被連結部５ａ，５ｂが上下部に形成された略垂直棒状の中間支脚５、並びに、該中間支脚５の上部から上外方へ延び、上端６ａに天板１ａを受ける受座１１が取り付けられる棒状の上支脚６、及び、該中間支脚５の下部から下外方へ延び、下端７ａがアジャスター１２を介して接地する棒状の下支脚７を一体形成してなるものである。なお、前記アジャスター１２は、支脚４の下支脚７の下端７ａに螺設されており、高さ調整を可能とするものであるが、下支脚７の下端７ａにキャスターを取り付けてもよいし、アジャスター１２及びキャスター以外の部品を取り付けてもよい。また、アジャスター１２等を設けずに、下支脚７の下端７ａを直接床面に接地させるようにしてもよい。
【００２２】
図３及び図５に示すように、支脚４の中間支脚５には、その下部に被連結部５ｂが設けられている。すなわち、中間支脚５の、内面の螺孔１５及び下面の螺孔１６（図５参照。）が被連結部５ｂとなっており、該螺孔１５，１６を用いて支脚間連結体９の支脚連結部９ａをボルト１７，１８により容易に固定することができる。また、このような支脚４，４と支脚間連結体９との直交する２面の当接及び直交方向のボルト締結によって、支脚４，４と支脚間連結体９とは強固に連結され、支脚４，４の内面（中間支脚５，５の内面）同士が略対向してなる支脚対３が構成される。そして、このような支脚対３，３により、天板１ａに対する下支脚７，７の広がり及び天板１ａに対する支脚４，４の捩れ等が効果的に規制される。
【００２３】
なお、図１及び図４に示すように、支脚間連結体９の前後の支脚連結部９ａ，９ａの方向は、前後方向ではなく、左側の支脚対３に用いられる支脚間連結体９の前後の支脚連結部９ａ，９ａは左方に、右側の支脚対３に用いられる支脚間連結体９の前後の支脚連結部９ａ，９ａは右方に、平面視において３０°程度傾けている。したがって、テーブル１への前後方向からのアクセス時に、下支脚７・・・が邪魔になり難い構成となっている。
【００２４】
支脚４の被連結部５ｂは、中間支脚５の内面及び下面に形成された螺孔１５，１６であるため、支脚対３の組立後には締結用のボルト１７，１８が見え難くなっており、構成の簡素化及びすっきりとした外観により意匠性が向上している。なお、支脚４の、中間支脚５の下部から下外方へ延びる下支脚７の水平方向からの傾斜角度は、中間支脚５の上部から上外方へ延びる上支脚６の水平方向からの傾斜角度よりも大きく形成されている。
【００２５】
また、図１〜図５に示すように、支脚４の上支脚６の上端６ａには天板１ａを受ける受座１１がボルト２０ａ・・・（図５参照。）により螺設される。なお、天板１ａの下面にはボルト２０ａ・・・の頭部を逃げる凹部が形成されている。さらに、図２及び図４に示すように、支脚間連結体９には、ビーム連結部９ｂが設けられているため、該ビーム連結部９ｂに支脚間連結ビーム１０を外嵌し通孔１０ａを用いてボルト又はピン等により固定すれば、支脚対３，３間は支脚対間連結ビーム１０で連結され、強固に連結された脚装置２が構成される。ここで、支脚間連結体９，９及び該支脚間連結体９，９を連結する支脚対間連結ビーム１０が、支脚４・・・の被連結部間を連結する連結体８を構成している。
【００２６】
さらにまた、図２及び図４に示すように、受座１１には、ビーム連結部１１ａが設けられているため、該ビーム連結部１１ａに受座間連結ビーム１３を外嵌して通孔１３ａを用いてピン２０ｂ又はボルト等により固定すれば、支脚対３，３間は受座間連結ビーム１３，１３で連結され、さらに強固に連結された脚装置２が構成される。
【００２７】
また、脚装置２の受座１１・・・上には、天板１ａが固定されてテーブル１が構成されるが、該固定は、受座１１・・・の下側から、ボルト１９・・・又は木ねじにより行うことができる。また、前記受座間連結ビーム１３の通孔１３ｂ・・・を用いて、ボルト又は木ねじにより受座間連結ビーム１３，１３が天板１ａと固定されるため、脚装置２と天板１ａとが強固に連結したテーブル１が構成される。
【００２８】
図５に示すように、支脚間連結体９と支脚４との位置決めは、支脚間連結体９に一体形成された係合凸部２１ａ及び支脚４に形成された係合凹部２１ｂを係合させることにより、容易に行うことができる。また、支脚４の上支脚６の上端６ａと受座１１との位置決めは、支脚４の上支脚６の上端６ａに一体形成された係合凸部２２ａ及び受座１１下面に形成された係合凹部２２ｂを係合させることにより、容易に行うことができる。さらに、受座１１と天板１ａとの位置決めは、受座１１上面に一体形成された係合凸部２３ａ及び天板下面の係合凹部２３ｂを係合させることにより、容易に行うことができる。このような係合凸部及び凹部の係合により、組立作業性並びに連結の強度及び信頼性が向上する。
【００２９】
ここで、天板１ａはスチール製又は木製のものである。また、支脚４、支脚間連結体９、受座１１等の比較的形状が複雑な部品は、例えば、アルミニウム、マグネシウム若しくは亜鉛等の好ましくは軽合金のダイカストにより製作され、部品点数が削減される。また、支脚対間連結ビーム１０及び受座間連結ビーム１３，１３は、アルミニウム合金の押出し材又はスチール製の管材等を用いることができる。
【００３０】
図６及び図７は、本発明の実施の形態１に係るテーブルの別の構成例を示す説明図であり、図６は上方から見た斜視図、図７は要部分解斜視図である。なお、図６及び図７において、天板は２点鎖線で示している。また、図１〜図５と同一の符号は同一の部品又は部分を示しており、図１〜図５と異なるのは天板１ｂ及び支脚間連結体３１のみである。
【００３１】
すなわち、図７の支脚間連結体３１は、支脚４，４間の距離が図４の支脚間連結体９を用いた場合の支脚４，４間の距離よりも長くなるように、支脚連結部３１ａ，３１ａ間の距離を支脚連結部９ａ，９ａ間の距離よりも長くしたものである。したがって、前後方向の長さ（奥行）が長い天板１ｂにも、支脚間連結体を変更するのみで、容易に対応することができる。また、天板の左右方向の長さの長短への対応は、支脚対間連結ビーム１０及び受座間連結ビーム１３，１３の長さを変更するのみで、容易に対応することができる。
【００３２】
以上のような部品点数が少ない簡素な構成により、部品の共通化を図りながら、強固に連結されると共に組立作業を容易に行うことができ、さらに、天板の形状及び大きさ等の多くのバリエーションに容易に対応することができる脚装置２及びテーブル１を得ることができる。
【００３３】
実施の形態２．
図８〜図１２は、本発明の実施の形態２に係るテーブルの構成例を示す説明図であり、図８は上方から見た斜視図、図９は支脚の長手方向の断面を示した縦断側面図、図１０は分解斜視図、図１１は支脚対間連結ビームの取付説明図、図１２はビーム連結体を支脚対に取り付けた状態を示す断面図である。実施の形態２は、比較的小形のテーブルを構成した場合を示している。なお、図８及び図１０において、天板は２点鎖線で示している。また、図８〜図１２において、実施の形態１の図１〜図５と同一の符号は同一の部品又は部分を示しており、図１〜図５とは、天板１ｃ、支脚間連結体３２，３３及びビーム連結体３４並びに受座２４が異なっている。実施の形態１と同様に支脚４の上支脚６ａに固定されると共に天板１ｃの下面に固定される受座２４・・・には、ビーム連結部が設けられていないため、受座２４，２４間は連結ビームにより連結されない。
【００３４】
図９、図１１及び図１２に示すように、支脚４の中間支脚５には、その上部に被連結部５ａが、その下部の被連結部５ｂが、その上下の中間部分に被連結部５ｃが設けられている。すなわち、中間支脚５の上面の通孔１４が被連結部５ａと、中間支脚５の下面の螺孔１６が被連結部５ｂと、中間支脚５の上下の中間部分の左右方向の螺孔２８が被連結部５ｃとなっている。
【００３５】
図９及び図１０に示すように、２個の支脚４，４をその内面同士を略対向配置した状態で（支脚４，４は図９のようにその内面同士が当接していても離間していてもよい。）、中間支脚５，５の内面に形成された略水平方向の切欠き２５，２５に平板状の支脚間連結体３２を嵌入して中間支脚５，５の上側からボルト２６，２６を通孔１４，１４より挿入して支脚間連結体３２に螺合させることにより、支脚４，４の中間支脚５，５の上部が容易に連結固定される。特に、平板状の支脚間連結体３２が切欠き２５，２５内に嵌入されているため、支脚４，４の連結強度が向上している。このように、支脚４の内面に切り欠き、凹部等を形成して支脚間連結体の連結に利用することにより、支脚間の連結固定を意匠性を損なわずに効果的に行うことができる。
【００３６】
また、同様に、中間支脚５，５の下面に平板状の支脚間連結体３３を当接させ、中間支脚５，５の下側からボルト２７，２７を螺孔１６，１６に螺嵌することにより、支脚４，４の中間支脚５，５の下部が容易に連結固定される。したがって、支脚４，４は、中間支脚５，５の上下部で強固に連結され、支脚４，４の内面（中間支脚５，５の内面）同士が略対向してなる支脚対３が構成される。そして、このような支脚対３，３により、天板１ｃに対する下支脚７，７の広がり及び天板１ａに対する支脚４，４の捩れ等が効果的に規制される。また、支脚間連結体３２及び３３は形状が簡単な平板状のものであり、板金加工等により安価に製作可能なため、コストを低減することができる。
【００３７】
支脚対３の中間支脚５，５にはビーム連結体３４が取り付けられ、該ビーム連結体３４，３４のビーム連結部３４ｂ，３４ｂに支脚間連結ビーム１０を外嵌し通孔１０ａを用いてボルト３０又はピン等により固定すれば、支脚対３，３間は支脚対間連結ビーム１０で連結されて脚装置２が構成される。ここで、支脚間連結体３２，３２，３３，３３並びにビーム連結体３４，３４及び支脚対間連結ビーム１０が、支脚４・・・の被連結部間を連結する連結体８を構成している。
【００３８】
図１２に示すように、ビーム連結体３４の前後の二面３４ａ，３４ａが支脚４，４の中間支脚５，５間の段付き部分により挟持された状態で、左右方向の螺孔２８，２８にボルト２９，２９を螺嵌することにより、ビーム連結体３４は支脚対３に強固に固定される。したがって、前記のようにビーム連結体３４，３４のビーム連結部３４ｂ，３４ｂに支脚間連結ビーム１０を外嵌して固定することにより、支脚対３，３間を強固に連結した脚装置２が構成される。
【００３９】
実施の形態３．
図１３及び図１５は、本発明の実施の形態３に係るテーブルの構成例を示す説明図であり、図１３は上方から見た斜視図、図１４は要部分解斜視図である。また、図１５は受座１１に対する支脚４の上支脚６の位相合わせ構造の説明図であり、図１５（ａ）は上支脚６を上から見た図、図１５（ｂ）は受座１１を下から見た図、図１５（ｃ）は係合リブと係合溝との係合を示す断面図である。実施の形態３は、２枚の天板を連結してなる連結テーブルを構成した場合を示している。なお、図１３及び図１４において、天板は２点鎖線で示している。また、実施の形態１の図６及び図７と同一の符号は同一の部品又は部分を示している。図６及び図７と異なるのは２枚の天板１ｄ，１ｄを設けている点と、３つの支脚対３・・・を連結している点である。したがって、左右方向の中間の支脚対３を構成する支脚４，４間の支脚間連結体３５及び該支脚４，４の上支脚６，６の上面６ａ，６ａに固定される受座３６，３６が異なっている。
【００４０】
すなわち、図１４に示すように、支脚間連結体３５には、前後方向両側に延びる支脚連結部３５ａ，３５ａの他に、２枚の連結天板１ｄ，１ｄの左端の支脚対３の支脚間連結体３１のビーム連結部３１ｂ方向及び右端の支脚対３の支脚間連結体３１のビーム連結部３１ｂ方向である左右方向の両側に延びるビーム連結部３５ｂ，３５ｂが形成されている。また、受座３６には、左端の支脚対３の受座１１のビーム連結部１１ａ方向及び右端の支脚対３の受座１１のビーム連結部１１ａ方向である左右方向の両側に延びるビーム連結部３６ａ，３６ａが形成されている。
【００４１】
このような左右方向の中間に配設される支脚対３に支脚間連結体３５及び受座３６，３６を用いることにより、左右方向に並設された３個以上の支脚対３・・・を強固に連結してなる脚装置２を容易に構成することができる。したがって、複数の天板を左右方向に並設してなる連結テーブルを容易に構成することができる。よって、このような部品点数が少ない簡素な構成により、部品の共通化を図りながら、強固に連結されると共に組立作業を容易に行うことができ、天板の形状、大きさ及び個数等の多くのバリエーションに容易に対応することができる。
【００４２】
図１５に示すように、受座１１（受座３６も同様）に対する上支脚６の位相合わせは、受座１１の下面に形成された係合リブ４１と上支脚６の上面に形成された係合溝４２ａ〜４２ｃとの係合により容易に行うことができる。すなわち、図１３のテーブル１の左右端の支脚対３，３を構成する支脚４・・・の上支脚６・・・と受座１１・・・との位相合わせは、受座１１・・・の係合リブ４１に対して、該上支脚６・・・の係合溝４２ｂ又は４２ｃを係合させればよい。また、左右方向の中間の支脚対３を構成する支脚４，４の上支脚６，６と受座３６，３６との位相合わせは、受座１１の係合リブと同様に形成された受座３６，３６の係合リブ４１に対して、該上支脚６，６の係合溝４２ａを係合させればよい。このようにして、受座１１及び受座３６に対する上支脚６の位相合わせを容易に行うことができるため、テーブル１の組立作業性が向上すると共に、前記係合リブ及び係合溝との係合により、受座１１又は受座３６と支脚４との連結がより強固になる。
【００４３】
実施の形態４．
図１６〜図１８は、本発明の実施の形態４に係るテーブルの構成例を示す説明図であり、図１６は上方から見た斜視図、図１７は分解斜視図、図１８は連結体の分解斜視図である。実施の形態４は、円形のテーブルを構成した場合を示している。なお、図１６及び図１７において、天板は２点鎖線で示している。また、実施の形態１の図１〜図５及び実施の形態２の図８と同一の符号は同一の部品又は部分を示している。
【００４４】
図１８に示すように、平面視略十字状の連結体３７は、平面視略十字状の連結ベース３８に設けられたビーム連結部３８ａ・・・及び支脚連結体４０・・・のビーム連結部４０ｂ・・・に中間ビーム３９を外嵌して取り付けて構成される。そして、支脚連結体４０には、実施の形態１の支脚間連結体９の支脚連結部９ａ（図４参照。）及び支脚間連結体３１の支脚連結部３１ａ（図７参照。）と同様の形状の支脚連結部４０ａが設けられているため、該支脚連結部４０ａ・・・に、実施の形態１と同様に（図３及び図５参照。）、支脚４・・・を強固に固定することができる。したがって、部品点数が少ない簡素な構成により、部品の共通化を図りながら、強固に連結されると共に組立作業を容易に行うことができる、円形又は正方形の天板の支持に適した脚装置２を得ることができる。なお、このような脚装置により、多角形又は楕円形等の天板を支持させてもよい。
【００４５】
ここで、支脚連結体４０・・・の中間ビーム３９・・・の長さを変えれば、天板１ｅの大きさの変更に容易に対応することができる。また、正方形、長方形又は楕円等、天板の形状に合わせて、４本の中間ビーム３９・・・の長さに長短を設けてもよい。さらに、平面視略十字状の連結体３７により４個の支脚４・・・を連結する構成ではなく、支脚連結部を３個又は５個以上設けてなる連結体を採用することもできる。
【符号の説明】
【００４６】
１  テーブル
１ａ，１ｂ，１ｃ，１ｄ，１ｅ  天板
２  脚装置
３  支脚対
４  支脚
５  中間支脚
５ａ  被連結部
５ｂ  被連結部
５ｃ  被連結部
６  上支脚
６ａ  上端
７  下支脚
７ａ  下端
８  連結体
９  支脚間連結体
９ａ  支脚連結部
９ｂ  ビーム連結部
１０  支脚対間連結ビーム
１０ａ  通孔
１１  受座
１１ａ  ビーム連結部
１２  アジャスター
１３  受座間連結ビーム
１３ａ，１３ｂ  通孔
１４  通孔
１５，１６  螺孔
１７，１８，１９，２０ａ  ボルト
２０ｂ  ピン
２１ａ，２２ａ，２３ａ  係合凸部
２１ｂ，２２ｂ，２３ｂ  係合凹部
２４  受座
２５  切欠き
２６，２７  ボルト
２８  螺孔
２９，３０  ボルト
３１  支脚間連結体
３１ａ  支脚連結部
３１ｂ  ビーム連結部
３２，３３  支脚間連結体
３４  ビーム連結体
３５  支脚間連結体
３５ａ  支脚連結部
３５ｂ  ビーム連結部
３６  受座
３６ａ  ビーム連結部
３７  連結体
３８  連結ベース
３８ａ  ビーム連結部
３９  中間ビーム
４０  支脚連結体
４０ａ  支脚連結部
４０ｂ  ビーム連結部
４１  係合リブ
４２ａ，４２ｂ，４２ｃ  係合溝
【図１】
2010022864.tif 000003
【図２】
2010022864.tif 000004
【図３】
2010022864.tif 000005
【図４】
2010022864.tif 000006
【図５】
2010022864.tif 000007
【図６】
2010022864.tif 000008
【図７】
2010022864.tif 000009
【図８】
2010022864.tif 000010
【図９】
2010022864.tif 000011
【図１０】
2010022864.tif 000012
【図１１】
2010022864.tif 000013
【図１２】
2010022864.tif 000014
【図１３】
2010022864.tif 000015
【図１４】
2010022864.tif 000016
【図１５】
2010022864.tif 000017
【図１６】
2010022864.tif 000018
【図１７】
2010022864.tif 000019
【図１８】
2010022864.tif 000020